(57)【要約】【課題】装着構造の異なる多様な歯科医療器具であっても、これらを起立姿勢に確実に保持することができる器具洗浄用ホルダを提供する。【解決手段】器具洗浄用ホルダは、上面に歯科医療器具３の一端を支持する支持面２８が設けられたベース体２１と、該ベース体２１から上方向に伸びる複数の保持アーム２２と、各保持アーム２２の自由端側に設けられ、歯科医療器具３の外周面と点接触ないし線接触する接当体２３とを備える。保持アーム２２は、歯科医療器具３の外周面に対する近接離間方向に弾性変形可能に構成されている。保持アーム２２の間に歯科医療器具３を差し込んだとき、当該歯科医療器具３の一端を支持面２８で支持し、かつ当該歯科医療器具３の外周面の少なくとも３点を接当体２３で支持することで、当該歯科医療器具３を起立姿勢に保持することができる。【選択図】図１
2020062221.tif 000002
【特許請求の範囲】
【請求項１】
洗浄装置（２）内に棒状の歯科医療器具（３）を起立姿勢で保持するための洗浄用ホルダであって、
上面に歯科医療器具（３）の一端を支持する支持面（２８）を有するベース体（２１）と、
ベース体（２１）から上方向に伸びる複数本の保持アーム（２２）と、
各保持アーム（２２）の上端側に設けられ、歯科医療器具（３）の外周面と点接触ないし線接触する接当体（２３）と、
を備え、
少なくとも１本の保持アーム（２２）が、歯科医療器具（３）の外周面に対する近接離間方向に弾性変形可能に構成されており、
保持アーム（２２）の間に歯科医療器具（３）を差し込んだとき、当該歯科医療器具（３）の一端を支持面（２８）で支持し、かつ当該歯科医療器具（３）の外周面の少なくとも３点を接当体（２３）で支持することで、当該歯科医療器具（３）を起立姿勢に保持するように構成されていることを特徴とする器具洗浄用ホルダ。
【請求項２】
ベース体（２１）は円柱状に形成され、該ベース体（２１）の周面に等間隔位置に複数本の保持アーム（２２）が設けられており、
歯科医療器具（３）の外周面に対する各接当体（２３）の接触高さ位置が、同一位置に設定されている請求項１に記載の器具洗浄用ホルダ。
【請求項３】
ベース体（２１）の周面に３本の保持アーム（２２）が設けられており、
各保持アーム（２２）が弾性変形可能な同一部材で構成されている請求項２に記載の器具洗浄用ホルダ。
【請求項４】
ローラ状に形成された接当体（２３）が、保持アーム（２２）の上端に設けられた水平軸まわりに回転可能に軸支されている請求項１から３のいずれかひとつに記載の器具洗浄用ホルダ。
【請求項５】
ベース体（２１）の上面に、歯科医療器具（３）の一端を受け入れるすり鉢状の支持面（２８）が凹み形成されており、
ベース体（２１）に、支持面（２８）の凹み底部からベース体（２１）の下面に至る貫通状の排水孔（４５）が設けられている請求項１から４のいずれかひとつに記載の器具洗浄用ホルダ。
【請求項６】
支持面（２８）とベース体（２１）の側面とを跨ぐように、支持面（２８）で受止められた洗浄水をベース体（２１）の外周面へと排水する排水溝（４６）が切欠き形成されている請求項５に記載の器具洗浄用ホルダ。
【請求項７】
排水溝（４６）の溝底面（４７）が、ベース体（２１）の中心軸から外周面側へと下り傾斜する傾斜面で構成されている請求項６に記載の器具洗浄用ホルダ。
【発明の詳細な説明】
【技術分野】
【０００１】
本発明は、洗浄装置内において、棒状の歯科医療器具を起立状態で保持するための器具洗浄用ホルダに関する。
【背景技術】
【０００２】
この種の器具洗浄用ホルダは例えば特許文献１に開示されている。特許文献１の器具洗浄用ホルダ（ハンドピースホルダ。以下「ホルダ」と記す。）は、保持筒部を備えるシリコンゴム製の筒体と、筒体が内嵌される樹脂製のケースと、筒体をケースに固定するキャップなどを備える。筒体は上側が大径で下側が小径の段付き筒孔を備えており、ハンドピース（歯科医療器具）の丸軸状の端部を上方から筒孔内に挿入することで、その下端が筒孔の上部に内嵌されて、ハンドピースを起立姿勢で保持することができる。同様のホルダは特許文献２にも開示されている。これら特許文献１および２のホルダでは、その筒孔内に上方からハンドピースを挿入するだけで、当該ハンドピースを起立姿勢に保持することができる。
【先行技術文献】
【特許文献】
【０００３】
【特許文献１】特開２０１５−１８６５６６号公報
【特許文献２】特開２０１５−１８６５００号公報
【発明の概要】
【発明が解決しようとする課題】
【０００４】
この種の歯科医療に供されるハンドピースはアタッチメント化されており、複数種のハンドピースが一つの接続具に対して着脱可能に構成されている。このため、一つの接続具に装着される複数種のハンドピースの装着構造は同一形状に統一されており、例えば特許文献１のハンドピースでは、丸軸状の端部の形状は同一形状に統一されている。従って、歯科医院内で一種の接続具のみを使用している場合には、それに装着される複数種のハンドピースの装着構造は一種に統一されており、歯科医院サイドとしては、当該装着構造に対応した一種のホルダのみを用意すれば足りる。
しかし、歯科医院内で多様な歯科医療機器が使用される場合には、複数種の接続具と、各接続具に対応した異なるハンドピースが存在することとなる。このため、特許文献１、２に記載のホルダでは、その筒体の筒孔がハンドピースの端部形状に対応していない場合には、ハンドピースを適正姿勢に保持することは不可能であり、各ハンドピースの端部形状に対応した筒孔を備えた筒体を有する複数種のホルダを用意する必要があり、汎用性に劣る。
【０００５】
本発明は、以上のような従来の器具洗浄用ホルダの抱える問題を解決するためになされたものであり、装着構造の異なる多様な歯科医療器具であっても、これらを起立姿勢に確実に保持することができる器具洗浄用ホルダを提供することを目的とする。
【課題を解決するための手段】
【０００６】
本発明は、洗浄装置２内に棒状の歯科医療器具３を起立姿勢で保持するための器具洗浄用ホルダを対象とする。器具洗浄用ホルダは、上面に歯科医療器具３の一端を支持する支持面２８が設けられたベース体２１と、該ベース体２１から上方向に伸びる複数本の保持アーム２２と、各保持アーム２２の上端側に設けられ、歯科医療器具３の外周面と点接触ないし線接触する接当体２３とを備えている。少なくとも１本の保持アーム２２は、歯科医療器具３の外周面に対する近接離間方向に弾性変形可能に構成されている。そして保持アーム２２の間に歯科医療器具３を差し込んだとき、当該歯科医療器具３の一端を支持面２８で支持し、かつ当該歯科医療器具３の外周面の少なくとも３点を接当体２３で支持することで、当該歯科医療器具３を起立姿勢に保持するように構成されていることを特徴とする。
【０００７】
ベース体２１を円柱状に形成し、該ベース体２１の周面に等間隔置きに複数の保持アーム２２を設ける。歯科医療器具３の外周面に対する各接当体２３の接触高さ位置を同一位置に設定する。
【０００８】
ベース体２１の周面に３本の保持アーム２２を設ける。各保持アーム２２を弾性変形可能な同一部材で構成する。
【０００９】
ローラ状に形成された接当体２３を、保持アーム２２の上端に設けた水平軸まわりに回転可能に軸支する。
【００１０】
ベース体２１の上面に、歯科医療器具３の一端を受け入れるすり鉢状の支持面２８を凹み形成する。ベース体２１に、支持面２８の凹み底部からベース体２１の下面に至る貫通状の排水孔４５を設ける。
【００１１】
支持面２８とベース体２１の側面とを跨ぐように、支持面２８で受止められた洗浄水をベース体２１の外周面へと排水する排水溝４６を切欠き形成する。
【００１２】
排水溝４６の溝底面４７は、ベース体２１の中心軸から外周面側へと下り傾斜する傾斜面で構成する。
【発明の効果】
【００１３】
本発明に係る器具洗浄用ホルダにおいては、歯科医療器具３の下側の一端を支持面２８で支持するので、丸軸状の端部の形状が異なる複数種の歯科医療器具３を支持面２８で支持できる。加えて、ベース体２１から上方向に伸びる複数本の保持アーム２２にそれぞれ設けた接当体２３で、支持面２８より上方における歯科医療器具３の外周面の少なくとも３点を支持するので、複数の保持アーム２２で囲まれる空間に対して、当該空間の上方から歯科医療器具３を差込むだけの簡単な保持動作で、歯科医療器具３を安定的に起立姿勢で保持できる。そのうえで少なくとも一つの保持アーム２２を、歯科医療器具３の外周面に対する近接離間方向に弾性変形可能に構成するので、保持動作時に保持アーム２２が弾性変形して拡開することにより、歯科医療器具３の直径寸法の差異を吸収でき、直径寸法が大小に異なる複数の歯科医療器具３を起立姿勢で確実に保持することができる。以上のように、本発明の器具洗浄用ホルダによれば、従来の器具洗浄用ホルダと同様に、歯科医療器具３を差込むだけの簡単な保持動作でありながら、１種で多様な歯科医療器具３を起立姿勢で保持できる、汎用性に優れた器具洗浄用ホルダを得ることができる。
【００１４】
円柱状に形成したベース体２１の周面に等間隔置きに複数本の保持アーム２２を設けると、接当体２３を歯科医療器具３の外周面に均等に配置して、同器具３を起立姿勢でより安定的に保持できる。加えて、歯科医療器具３の外周面に対する各接当体２３の接触位置の高さ位置を同一位置に設定したので、接当体２３が歯科医療器具３を支持する際の支持力によって歯科医療器具３に水平軸まわりの回転モーメントが作用するのを防止でき、同器具３を起立姿勢でさらに安定的に保持することができる。因みに、歯科医療器具３の外周面に対する各接当体２３の接触位置の高さが異なっていると、いずれか一つの接当体２３を支点にして他の接当体２３の支持力が歯科医療器具３に作用することによって、歯科医療器具３に支点となった接当体２３の水平軸まわりの回転モーメントが作用する。
【００１５】
ベース体２１の周面に３個の保持アーム２２を設け、各保持アーム２２を弾性変形可能な同一部材で構成すると、保持アーム２２が弾性変形することによる歯科医療器具３の直径寸法の差異の吸収範囲をより大きくすることができ、より多様な歯科医療器具３を起立姿勢で保持できる。また、同一部材で構成された保持アーム２２によれば、各保持アーム２２が均等に弾性変形して歯科医療器具３を支持するので、同器具３をベース体２１上で直立する起立姿勢で安定的かつ強固に保持できる。
【００１６】
ローラ状に形成された接当体２３を保持アーム２２の上端に設けた水平軸まわりに回転可能に軸支すると、保持動作時における歯科医療器具３と接当体２３との接触による摩耗を抑えることができる。これにより、歯科医療器具３の外周表面が傷つくのを抑制できる。また、接当体２３の長寿命化を図ることができる。
【００１７】
ベース体２１の上面に歯科医療器具３の一端を受け入れるすり鉢状の支持面２８を凹み形成し、ベース体２１に支持面２８の凹み底部からベース体２１の下面に至る貫通状の排水孔４５を設けた。これによれば、すり鉢状の支持面２８で歯科医療器具３の一端を包むように受止め支持して、同器具３を起立姿勢でさらに安定的に保持できる。洗浄時に支持面２８で受止められた洗浄水は、排水孔４５を介してベース体２１の下面から外部へと排水されるので、洗浄装置２による一連の洗浄処理後において、すり鉢状の支持面２８に洗浄水が残留するのを解消できる。
【００１８】
上記のように、すり鉢状の支持面２８で一端縁部が円形の歯科医療器具３を支持した場合には、支持面２８と歯科医療器具３の接触部分が円状に形成され、当該接触部分より上側の支持面２８部分に洗浄水が溜まるおそれがある。そこで本発明のように、支持面２８とベース体２１の側面とを跨ぐように、支持面２８で受止められた洗浄水をベース体２１の外周面へと排水する排水溝４６を切欠き形成すると、前記接触部分より上側の支持面２８部分に溜まった洗浄水を、排水溝４６を介してベース体２１の側面へと排水できるので、洗浄装置２による一連の洗浄処理後において、すり鉢状の支持面２８に洗浄水が残留するのを確実に解消できる。
【００１９】
排水溝４６の溝底面４７をベース体２１の中心軸から外周面側へと下り傾斜する傾斜面で構成すると、排水溝４６に流れ込んだ洗浄水をベース体２１の側面へと確実に流下させることができ、洗浄装置２による一連の洗浄処理後において、排水溝４６に洗浄水が残留するのを確実に解消できる。
【図面の簡単な説明】
【００２０】
【図１】本発明の実施例１に係る器具洗浄用ホルダの斜視図である。
【図２】洗浄装置の全体構造を示す概念図である。
【図３】実施例１に係る器具洗浄用ホルダの一部破断平面図である。
【図４】図３におけるＡ−Ａ線断面図である。
【図５】支持面部分を示す拡大断面図である。
【図６】洗浄台座を示す斜視図である。
【図７】実施例１に係る器具洗浄用ホルダで歯科医療器具を起立状態で保持した状態を示す側面図である。
【図８】洗浄台座に対する器具洗浄用ホルダの固定方向を説明するための平面図である。
【図９】本発明の実施例２に係る器具洗浄用ホルダの一部破断平面図である。
【図１０】図９におけるＢ−Ｂ線断面図である。
【図１１】接当体の変形例を示す平面図である。
【図１２】接当体の別の変形例を示す縦断面図である。
【発明を実施するための形態】
【００２１】
（実施例１）  図１から図８に、本発明の器具洗浄用ホルダの実施例１を示す。この実施例における前後、左右、上下とは、図１から図３に示す交差矢印と、各矢印の近傍に表記した前後、左右、上下の表示に従う。器具洗浄用ホルダ１は、洗浄装置２内において、歯科医療に使用されるハンドピース（歯科医療器具）３を起立姿勢で保持するためのものであり、複数の器具洗浄用ホルダ１が洗浄台座４に固定された状態で、洗浄装置２内に載置される。
【００２２】
図２において洗浄装置２は、前面開口を有する四角箱状のハウジング７内に洗浄室８が画成されており、前面開口は上下揺動可能に設けられた扉で開閉できる。洗浄室８の上下壁には、それぞれ洗浄水が噴射される洗浄ノズル９・１０が回転可能に設けられており、各洗浄ノズル９・１０は、洗浄室８の下方に配置された送水ポンプ１１と送水管１２を介して接続されている。洗浄室８の下壁には貯水タンク１３が凹み形成されており、貯水タンク１３に貯留された洗浄水を送水ポンプ１１で汲み上げ、汲み上げた洗浄水を各洗浄ノズル９・１０へと送給する。各洗浄ノズル９・１０から噴射された洗浄水は、再び貯水タンク１３へと回収される。このように、洗浄装置２は洗浄水を循環させながらハンドピース３の洗浄を行う。ハンドピース３などの洗浄対象は、両洗浄ノズル９・１０の間に設けられたメッシュ棚状の洗浄ラック１４に載置された状態で洗浄される。
【００２３】
ハンドピース３は全体が断面円形棒状を呈しており、図７に示すように、上部が先細り状に形成された段付き軸のピース本体１６を基体として、同本体１６の中心軸に沿って液体が流通可能な通水管１７が設けられている。通水管１７はハンドピース３を使用した歯科治療時に水や薬液などをハンドピース３の先端に固定したチップ（図示していない）へと送給するために設けられている。ピース本体１６の下部の段付き軸部１８には、図示しない接続具との連結構造が設けられており、ピース本体１６の下端周縁１９は円形に形成されている。
【００２４】
図１および図４に示すように器具洗浄用ホルダ１は、ベース体２１と、該ベース体２１から上方向に伸びる３本の保持アーム２２と、各保持アーム２２の上端側に設けられる接当ローラ（接当体）２３とを備えている。ベース体２１は、素材となるステンレス丸棒に切削加工を施して形成されており、上側の小径軸部２６と下側の大径軸部２７とで段付き円柱状（円柱状）に形成されている。大径軸部２７の周面には、等間隔置きに３個の保持アーム２２が固定されており、小径軸部２６の上面には、ハンドピース３の下端を受止め支持するすり鉢状の支持面２８が凹み形成されている。該支持面２８の直径寸法は、支持面２８で支持するハンドピース３の下端の直径寸法より大きく設定することが好ましい。小径軸部２６の周面と大径軸部２７の周面とを接続する接続座面２９は、大径軸部２７の周面に向かって下り傾斜する周回状の傾斜面とされている。
【００２５】
保持アーム２２は、素材となるステンレス板材に打抜き加工および折り曲げ加工を施して形成されており、上下に伸びる帯板状のアーム本体３２と、アーム本体３２の上端両側に屈曲形成される一対の軸受け壁３３とを備えている。各軸受け壁３３には、接当ローラ２３を回転可能に軸支する軸受孔３４がそれぞれ設けられている。保持アーム２２は、アーム本体３２の下部に設けた挿通孔３５に、低頭型の六角穴付きボルトからなるボルト３６をそれぞれ挿通し、ベース体２１の大径軸部２７に設けたねじ穴３７にボルト３６をねじ込むことにより、ベース体２１に締結固定される。締結固定用の挿通孔３５、ボルト３６、およびねじ穴３７は上下２組が設けられている。なお、図３において符号３８はねじ穴３７が形成される平面状の締結座であり、該締結座３８により帯板状のアーム本体３２は大径軸部２７の周面に密着するように締結固定される。
【００２６】
アーム本体３２の下部をベース体２１に締結固定することにより、ベース体２１の内外方向、換言すればハンドピース３の外周面に対する近接離間方向に弾性変形可能に構成される。本実施例では３個の保持アーム２２を同一部材で構成したので、それぞれ独立して弾性変形できる。なお、保持アーム２２は少なくとも一つが弾性変形可能に構成されていればよく、残る保持アーム２２のアーム本体３２は弾性変形しない剛体で構成することができる。
【００２７】
接当ローラ２３はプラスチック成型品からなり、図３に示すように丸軸状のローラ本体４１と、ローラ本体４１の両端面に突出形成される支軸４２とを一体に備えている。支軸４２はローラ本体４１よりも小径に形成されており、その突出寸法は、保持アーム２２を形成するステンレス板材の厚み寸法よりも僅かに小さく設定されている。接当ローラ２３は、両軸受け壁３３をそれぞれ離間する方向へ弾性変形させた状態で、軸受孔３４に支軸４２を嵌め込むようにして装着される。装着された接当ローラ２３は、保持アーム２２の上端で支軸４２（水平軸）まわりに回転可能に軸支される。
【００２８】
先の保持アーム２２および接当ローラ２３はそれぞれ同一部材で構成されているので、構成する部品の品種数を減らして器具洗浄用ホルダ１を低コスト化できる。さらに、保持アーム２２の固定構造も同一であるので、ハンドピース３を起立姿勢で保持した状態においては、ハンドピース３の外周面に対する各接当ローラ２３の接触高さ位置は同一位置に設定されている。なお、同一位置とは、厳密に同一ではなく、概ね同一にあるものも含む。本実施例の接当ローラ２３は、同ローラ２３の耐摩耗性の向上、および接触摩擦抵抗の低減を目的としてポリアセタール（ＰＯＭ）樹脂で形成されている。
【００２９】
すり鉢状の凹みからなる支持面２８で受止められた洗浄水を排出するために、ベース体２１には、その中心軸に沿って貫通状の排水孔４５が設けられており、該排水孔４５は、支持面２８の凹み底部から大径軸部２７（ベース体２１）の下面に至るように、ベース体２１を上下に貫通している。支持面２８で受止められた洗浄水は、排水孔４５を流下してベース体２１の下面へと排水される。このように、貫通状の排水孔４５を設けると、洗浄装置２による一連の洗浄処理後において、すり鉢状の支持面２８に洗浄水が残留するのを解消できる。
【００３０】
すり鉢状の支持面２８で下端周縁１９（一端縁部）が円形のハンドピース３を支持した場合には、支持面２８とハンドピース３の接触部分が円状に形成され、当該接触部分より上側の支持面２８部分に洗浄水が溜まるおそれがある。そこで本実施例では、図５に示すように排水孔４５に加え、排水溝４６がベース体２１の小径軸部２６に設けられている。排水溝４６は平面視において略半円状の切欠きで構成されており、支持面２８と小径軸部２６の側面とを跨いで切欠き形成されている。排水溝４６は、小径軸部２６に等間隔置きに３個設けられており、先の保持アーム２２とは、位相が１８０度異なる位置に設けられる（図３参照）。すり鉢状の支持面２８は、その一部が排水溝４６により削り取られており、支持面２８で受止められた洗浄水は、排水溝４６を流下してベース体２１の側面へと排水される。
【００３１】
上記のように、支持面２８と小径軸部２６の側面とに跨る排水溝４６を設けると、該排水溝４６を介して下端周縁１９の接触部分より上側の洗浄水を排水できるので、洗浄装置２による一連の洗浄処理後において、すり鉢状の支持面２８に洗浄水が残留するのを確実に解消できる。
【００３２】
排水溝４６の溝底面４７は、ベース体２１の中心軸から周面側へと下り傾斜する傾斜面で構成されている。溝底面４７の傾斜角度は、先の接続座面２９と同一に設定されており、接続座面２９と溝底面４７とは滑らかに連続している。このように、排水溝４６の溝底面４７を傾斜面で構成すると、排水溝４６に流れ込んだ洗浄水をベース体２１の側面へと確実に流下させることができ、洗浄装置２による一連の洗浄処理後において、排水溝４６に洗浄水が残留するのを確実に解消できる。
【００３３】
器具洗浄用ホルダ１は、単独でも洗浄装置２の洗浄室８内に載置可能であるが、複数の器具洗浄用ホルダ１を一括して洗浄室８に載置し、あるいは取り出すことができるように、洗浄台座４に固定することが好ましい。洗浄台座４はステンレス板材にレーザー切断加工および折り曲げ加工を施して形成されており、図６に示すように、前後縁部が下向きに折り曲げられた断面コ字状の台座ベース５０と、台座ベース５０の左右縁部からそれぞれ上向きに伸びる左右一対の把持枠５１とを備えている。
【００３４】
台座ベース５０の水平壁部分には、複数の切り抜き孔が開設されて、略円盤状の５個の固定座５２が形成されている。固定座５２の中央には水抜き孔５３が設けられており、該水抜き孔５３の左右には、後述する固定用のボルト５６を挿通するための一対の挿通孔５４が設けられている。支持面２８で受止められ排水孔４５を流下した洗浄水は、水抜き孔５３を介して排水される。図６において符号５５は、他の洗浄用ホルダを固定するための予備固定座５５である。該予備固定座５５は、中央に貫通孔が設けられた円盤状に形成されており、固定座５２を間にして台座ベース５０の前後にそれぞれ５個ずつ設けられている。
【００３５】
洗浄台座４への器具洗浄用ホルダ１の固定は、六角穴付きボルトからなるボルト５６を挿通孔５４に挿通し、該ボルト５６をベース体２１の底面に設けたねじ穴５７にねじ込むことにより行われる。図８に示すように、隣り合う器具洗浄用ホルダ１は、固定方向が前後互い違いになるように固定する。このように固定方向を前後互い違いにすると、隣り合う器具洗浄用ホルダ１の保持アーム２２どうしが干渉するのを回避して、器具洗浄用ホルダ１の固定ピッチを小さくできる。
【００３６】
ハンドピース３は、器具洗浄用ホルダ１に対して上方から差込むようにして保持させる。具体的には、ハンドピース３の段付き軸部１８側を下向きに指向させ、その姿勢のまま３個の保持アーム２２で囲まれる空間に対して上方から差込む。このとき、各接当ローラ２３がハンドピース３の外周面と接触し、その反力を受けて保持アーム２２は、外向きに弾性変形する。さらにハンドピース３をその下端が支持面２８で受止められるまで差込むことで保持動作が完了する。これにてハンドピース３は、図７に示すように下端が支持面２８で支持され、かつ外周面の３点が接当ローラ２３で支持された状態で、起立姿勢で確実に保持される。
【００３７】
上記保持動作中においては、ハンドピース３の外周面と接当ローラ２３とは接触するが、接当ローラ２３を水平軸まわりに回転可能に軸支したので、保持動作時におけるハンドピース３と接当ローラ２３との接触による摩耗を抑えることができる。これにより、ハンドピース３の外周表面が傷つくのを抑制でき、また、接当ローラ２３の長寿命化を図ることができる。
【００３８】
洗浄台座４に固定した器具洗浄用ホルダ１にハンドピース３を保持させ、洗浄台座４ごと洗浄ラック１４に載置したのち扉を閉めて洗浄装置２を起動すると、洗浄装置２に予め登録された洗浄動作が実行され、上下の洗浄ノズル９・１０から噴射された洗浄水でハンドピース３は洗浄される。このとき、通水管１７の上部から洗浄水が侵入するので、通水管１７内部も洗浄される。通水管１７の下部から排水された洗浄水は、支持面２８で受止められ、排水孔４５および水抜き孔５３を介して下方へと排水される。
【００３９】
（実施例２）  図９および図１０に本発明の器具洗浄用ホルダの実施例２を示しており、本実施例では、保持アーム２２、接当ローラ２３、および排水溝４６の構成が実施例１と異なる。保持アーム２２は、アーム本体３２の上端両側に、断面へ字状に屈曲形成される一対のローラアーム６０を備えており、ローラアーム６０の先端側壁に、軸固定孔６１が設けられている。アーム本体３２の下部は、大径軸部２７の対向位置に締結固定されている。保持アーム２２を締結固定するボルト３６は、低頭型の六角ボルトを使用した。接当ローラ２３のローラ本体４１は円筒状に形成されており、軸固定孔６１で固定された支持軸６２で水平軸まわりに回転可能に軸支されている。支持軸６２は、一端にフランジ部６３を備え、他端にかしめ軸部６４を備えており、支持軸６２をローラ本体４１および軸固定孔６１に挿通したのち、軸固定孔６１から突出したかしめ軸部６４をかしめることによりローラアーム６０に連結される。
【００４０】
本実施例では、１本の保持アーム２２にそれぞれ２個の接当ローラ２３が設けられる。各接当ローラ２３は、隣り合う接当ローラ２３の中心軸線が直交するように配置されている。小径軸部２６には、スリット状の排水溝４６が平面視において十字状に形成されており、各排水溝４６の内側端は排水孔４５に至っており、外側端は小径軸部２６の側面の上下中途部で開放されている。このように、２個の保持アーム２２で接当ローラ２３を軸支すると、実施例１の器具洗浄用ホルダに比べて、保持動作の際に弾性変形させるアーム本体３２の数が少ない分だけ、軽い力で保持動作を行うことができる。他は実施例１と同じであるので、同じ部材に同じ符号を付してその説明を省略する。以下の変形例においても同様とする。
【００４１】
図１１は接当ローラ（接当体）２３の変形例を示している。本変形例の接当ローラ２３は、ローラ本体４１を筒状に形成し、ローラ本体４１の周面形状を軸方向の中央が括れた鼓形状に形成した点と、ローラ本体４１の筒孔に圧嵌係合する支持軸６７で回転可能に支持されるようにした点が実施例１と異なる。このように、ローラ本体４１の周面形状が鼓形状の接当ローラ２３によれば、１個の接当ローラ２３がハンドピース３の外周面と２点で接触するので、接触点数が増加する分、より安定的にハンドピース３を起立姿勢で保持できる。なお、ローラ本体４１の周面形状を軸方向の中央が膨れた太鼓形状に形成することもできる。
【００４２】
図１２は接当体２３の別の変形例を示している。本変形例の接当体２３は、保持アーム２２に設けられたＵ字状の接当アーム７０で構成されている。該接当アーム７０は、保持アーム２２のアーム本体３２に連続するように一体に設けられており、アーム本体３２の上端に曲げ加工を施すことにより形成される。このように、接当アーム７０（接当体２３）を保持アーム２２と一体に形成すると、構成部品点数を減らして器具洗浄用ホルダ１を簡素化して低コスト化できる。
【００４３】
以上のように、上記各実施例に係る器具洗浄用ホルダにおいては、ハンドピース３の下側の一端を支持面２８で支持するようにしたので、丸軸状の端部の形状が異なる複数種のハンドピース３を支持面２８で支持できる。加えて、ベース体２１から上方向に伸びる複数本の保持アーム２２にそれぞれ設けた接当ローラ（接当体）２３で、支持面２８より上方におけるハンドピース３の外周面の少なくとも３点を支持するようにしたので、複数本の保持アーム２２で囲まれる空間に対して、当該空間の上方からハンドピース３を差込むだけの簡単な保持動作で、ハンドピース３を安定的に起立姿勢で保持できる。そのうえで少なくとも一つの保持アーム２２を、ハンドピース３の外周面に対する近接離間方向に弾性変形可能に構成したので、保持動作時に保持アーム２２が弾性変形して拡開することにより、ハンドピース３の直径寸法の差異を吸収できるので、直径寸法が大小に異なる複数のハンドピース３を起立姿勢で確実に保持できる。以上のように、本実施例の器具洗浄用ホルダ１によれば、従来の器具洗浄用ホルダと同様に、ハンドピース３を差込むだけの簡単な保持動作でありながら、１種で多様なハンドピース３を起立姿勢で保持できる、汎用性に優れた器具洗浄用ホルダを得ることができる。
【００４４】
段付き円柱状に形成したベース体２１の周面に等間隔置きに３本（複数本）の保持アーム２２を設けたので、接当体２３をハンドピース３の外周面に均等に配置して、同ピース３を起立姿勢でより安定的に保持できる。また、ハンドピース３の外周面に対する各接当ローラ２３の接触高さ位置を同一位置に設定したので、接当ローラ２３がハンドピース３を支持する際の支持力によってハンドピース３に水平軸まわりの回転モーメントが作用するのを防止でき、同ピース３を起立姿勢でさらに安定的に保持できる。
【００４５】
また、各保持アーム２２を弾性変形可能な同一部材で構成したので、保持アーム２２が弾性変形することによるハンドピース３の直径寸法の差異の吸収範囲をより大きくすることができ、より多様なハンドピース３を起立姿勢で保持できる。また、同一部材で構成された保持アーム２２によれば、各保持アーム２２が均等に弾性変形してハンドピース３を支持するので、同ピース３をベース体２１上で直立する起立姿勢で安定的かつ強固に保持できる。
【００４６】
上記の実施例以外に、ベース体２１は径寸法が一定の円柱状や截頭円錐台状に形成することができる。保持アーム２２は、上記各実施例で示した個数に限られない。また、アーム本体３２の形状は帯板状に限られず、弾性変形可能であればその形状は問わない。上記各実施例の接当体２３は歯科医療器具３の外周面に対して点接触する状態で保持したが、接当体２３と前記外周面とは線接触する状態で保持することも可能である。本発明の器具洗浄用ホルダは、例えば先端にモーターヘッドを備える歯科医療ハンドピースのように全体が断面円形棒状ではない歯科医療器具３であっても起立状態で保持できる。要は、歯科医療器具３が、その端部から一定長さの断面円形棒状部分を備えていれば起立状態で保持できる。
【符号の説明】
【００４７】
１  器具洗浄用ホルダ
２  洗浄装置
３  歯科医療器具（ハンドピース）
２１  ベース体
２２  保持アーム
２３  接当体（接当ローラ）
２８  支持面
４５  排水孔
４６  排水溝
４７  溝底面
【図１】
2020062221.tif 000003
【図２】
2020062221.tif 000004
【図３】
2020062221.tif 000005
【図４】
2020062221.tif 000006
【図５】
2020062221.tif 000007
【図６】
2020062221.tif 000008
【図７】
2020062221.tif 000009
【図８】
2020062221.tif 000010
【図９】
2020062221.tif 000011
【図１０】
2020062221.tif 000012
【図１１】
2020062221.tif 000013
【図１２】
2020062221.tif 000014